(57)【要約】免疫固定電気泳動アプリケーターシステム及び方法は、抗血清を第１の方向に細長いビードとして載置し、少なくとも表面張力によって第１の方向を横切る方向に移動しないように保持される、基材上の離間した位置に抗血清を載置する。
2020528145.tif 000002
【特許請求の範囲】
【請求項１】
患者試料中の少なくとも１つの抗体を検出するための方法であって、前記患者試料は第１の患者試料試験領域中の基材上に配置され、前記基材は少なくとも第１及び第２の隣接領域を有し、前記方法は、前記患者試料中に前記少なくとも１つの抗体が存在する場合、その抗体と反応させる、少なくとも１つの前記第１の領域中の、少なくとも１つの抗体に対する少なくとも１つの抗血清を載置すること、を含み、
前記少なくとも１つの抗血清を、延長したビードとして前記基材上に載置し、前記抗血清のビードは少なくとも表面張力によって前記基材上に保持されて、前記ビードが延長している方向を横切る方向への前記抗血清の移動を回避することを特徴とする、方法。
【請求項２】
前記細長いビードが前記第２の隣接領域への移動を回避するために、前記基材上に保持される、請求項１に記載の方法。
【請求項３】
前記基材が少なくとも第１の隣接領域、第２の隣接領域及び第３の隣接領域を有し、前記少なくとも１つの抗血清が前記第３の隣接領域に第２の細長いビードとして載置し、前記第３の隣接領域から前記第２の隣接領域への前記抗血清の移動を回避するために、少なくとも表面張力によって前記基材上に保持される、請求項１に記載の方法。
【請求項４】
前記基材が少なくとも第１の患者試料試験領域及び第２の患者試料試験領域を有し、それぞれが少なくとも第１の隣接する試験領域及び第２の隣接する試験領域を有し、前記少なくとも１つの抗血清が、前記第１の患者試料試験領域から前記第２の患者試料試験領域への第１の方向への移動によって、前記基材上に細長いビードとして載置する、請求項１に記載の方法。
【請求項５】
前記基材が少なくとも第１及び第２の患者試料試験領域を有し、それぞれが少なくとも第１及び第２の隣接する試験領域を有し、前記少なくとも１つの抗血清が、前記基材上に２つの細長いビードとして載置し、一方のビードが前記第１の患者試料試験領域の第１の隣接する試験領域にあり、第２のビードが前記第２の患者試料試験領域の第１の隣接する試験領域にある、請求項１に記載の方法。
【請求項６】
複数の細長いビードが、前記第１の患者試料試験領域に載置される、請求項１〜５のいずれか１項に記載の方法。
【請求項７】
複数の細長いビードが、前記第１の患者試料試験領域及び前記第２の患者試料試験領域のそれぞれに載置される、請求項４に記載の方法。
【請求項８】
異なる抗血清が、間隔を置いて配置された細長いビードとして前記基材上に載置される、請求項１〜７のいずれか１項に記載の方法。
【請求項９】
請求項１に記載の方法により、抗血清を細長いビードとして基材上に載置するための装置。
【請求項１０】
請求項１〜８のいずれか１項に記載の方法により、基材上に細長いビードとして抗血清を載置するための装置。
【発明の詳細な説明】
【技術分野】
【０００１】
本発明は電気泳動の分野に関する。電気泳動は、支持媒体上又は支持媒体内に配置されれ、その後電場中に置かれる帯電した分子の動きである。荷電分子は支持媒体を通って、又は沿って、そして電場を横切って、様々なサイズの分子が、少なくとも一部分においては、それらのそれぞれのサイズに依存するように分離することにより、移動する。
【背景技術】
【０００２】
電気泳動は様々な生物学的分子についての分析情報を提供するために使用される。これは、例えば血液タンパク質、ＤＮＡ、ＲＮＡ、免疫グロブリン、ヘモグロビン、コレステロール、リポタンパク質、アイソザイム及び脳脊髄液タンパク質（ＣＳＦ）といった種々の試料の分析のために、医学研究所によって広く使用される。これらの試料は、典型的には電荷を有する大きな分子又は成分を含む。電気泳動は電場中に置かれた時に帯電した分子又は成分が動くことを可能とする。電気泳動の間、試験、分析又は評価される試料は、電源に接続された支持媒体上又は支持媒体内に配置される。ゲルのような支持媒体は、帯電した分子がその中を電場を横切って移動する、固体又は半固体の多孔質層又は格子を提供する。緩衝溶液は典型的には試料及び支持媒体を浸漬し、ｐＨ水準を維持するために使用される。支持媒体は典型的には、ゲル物質で処理されたバッキング層からなる。
【０００３】
電気泳動システムは、正極と負極を含み、これらは電気回路内に配置され、電極間に電気泳動場を生成する。帯電した分子は反対の電荷を持つ電極に向かう分子の電荷の引力に基づいて、ゲルの多孔質構造内の電気泳動場の影響の下で流れる。帯電した分子は、分子の電荷の引力に基づいて、ゲルの多孔質構造内の電気泳動場の影響の下で、反対の電荷を持つ電極に向かって流れる。
【０００４】
電気泳動システムの非限定的な例において、試料は、ウェルなどの１つ以上の試料領域に配置される。該試料領域は、２つの電極の中間又は一方の電極の近く、例えば、電極の中間または負極つまりカソードの近くに配置され得る。「中間」という用語は、二つの電極間における、地理的中間を指すことを意図しない。電場がかけられると、帯電した分子又は成分は、反対に帯電した電極への引力に基づいて、電場を横切って移動する。各分子又は成分が電場を横切って移動する距離は、成分又は分子の、それぞれのまたは相対的なサイズ又は質量などの因子に依存する。したがって、分離された成分又は分子は、支持媒体上に一連のバンドを形成し、そのバンドは媒体の一方の端部から他方の端部まで延在し得る。バンドの観察は、種々の乾燥及び／又は染色技術及び／又は緩衝溶液の洗浄又は除去によって補助され得る。各バンドは典型的には特定のサイズを有する分子又は成分の量を表し、このような分子又は成分の濃度に依存して、他のバンドとは多かれ少なかれ区別され得る。この手順は、タンパク質タンパク分画分離と呼ばれることがある。バンドはさらに、濃度測定及び／又は他の手法などの様々な手法によって検査、分析及び評価されてもよい。
【０００５】
免疫固定法、すなわちＩＦＥは、ヒト血清、尿素又はＣＳＦのなどの中にある特定のタンパク質の存在を検出するための周知の二段階の手順である。この手順は、第１のステップとして、一般的に上述のような電気泳動法によるタンパク質分画の分析を含む。第２のステップとして、タンパク質中の可溶性抗原をその抗体（抗血清）と反応させる。合成された抗原抗体複合体は、反応物の割合、温度、塩分濃度及びｐＨに依存する速度で沈殿する。抗原抗体複合体はこうして染色により可視化される。
【０００６】
前段落で、一般的な用語で言及したＩＦＥプロセスは、１９９３年２月９日に登録され、アメリカ合衆国テキサス州バーモントのHelena Laboratories Corporationに譲渡された、米国特許第５,１８５,０６６号により詳細に記載されており、参照により本明細書にその全体が組み込まれるものとする。ＩＦＥを実施するための装置及び化学薬品は、前述の特許の譲受人であるアメリカ合衆国テキサス州バーモントのHelena Laboratories Corporationによってしばらくの間市販されている。アメリカ合衆国テキサス州バーモントのHelena Laboratories Corporationによって市販されているこのような装置の非限定的な例には、SPIFE TOUCH及びSPIF4000が含まれる。オペレーターズマニュアル（それぞれ、２０１６年１１月のＤ６５００１４０Ｃ及び２０１７年７月のＤ６５００１４１Ｂ）が、www.Helena.comのオンラインでアメリカ合衆国テキサス州バーモントのHelena Laboratories Corporationから公開されており、参照により本明細書にその全体が組み込まれるものとする。
【０００７】
典型的には、患者の診断、患者のモニタリング及び患者の評価のためにタンパク質を評価するためのＩＦＥの使用において、一人の患者からの検体が希釈され、単一の電気泳動のゲルプレート上の複数の試料領域又はアプライ領域に配置される。複数の試料領域を利用する目的は、総血清タンパク質、及び、免疫グロブリンの重鎖ＩｇＧ、ＩｇＭ、ＩｇＡ及び軽鎖κ、軽鎖λのような種々のタンパク質やその他のタンパク質といった、医学的診断においてその有無が重要であるタンパク質の別々の検出を可能にすることである。
【０００８】
従来、個別の複数のチャネル又はスロットを有するテンプレートを、好ましくは電気泳動工程の後に、ゲルプレートに配置していた。次いで、種々の抗血清、典型的には、ＩｇＧ、ＩｇＭ、ＩｇＡ、κ及びλタンパク質に対する抗血清をテンプレートの中のそれぞれのスロット又はチャネルの中に配置していた。特定のタンパク質が電気泳動する試料の中に存在した場合、タンパク質（抗体）は、抗血清と反応して、それぞれのチャネル内で抗体抗血清沈殿反応を引き起こす。
【０００９】
ゲルと接触したテンプレートは、各血清をその意図されたチャネル又はスロットに保持し、一つのチャネル又はスロットから隣接するチャネル又はスロットへの抗血清の好ましくない移動を防止する。このように、テンプレートの使用はＩＦＥ処理において一般的であり、かつ望ましいものであった。
【発明の概要】
【００１０】
それゆえに過剰な抗血清、すなわち、抗血清抗体反応が起こるのに必要な実際の量よりも多い抗血清でテンプレート中のチャネル又はスロットを満たすことが一般的であった。このことはコストを増加させていた。さらに、テンプレートが使い捨てである場合、各ＩＦＥ試験のコストを増加させていた。テンプレートが再利用可能である場合は、連続する試験の間には、装置、システム又は機器を洗浄することに加えて再利用可能なテンプレートを洗浄する必要があるため、洗浄のコスト及び労力を増加させていた。
【００１１】
従って、テンプレートを必要とせずに、テンプレートの利益を享受できるシステム、方法及び装置が必要とされた。
【課題を解決するための手段】
【００１２】
一つの態様によれば、ＩＦＥ手順において電気泳動ゲル上に抗血清をアプライするための本発明のシステム、方法及び装置は、従来のテンプレートを必要としない。このシステム、方法及び装置はまた、ゲル上の所望の場所に所望の試薬をアプライする、他の電気泳動環境においても使用することが出来る。
【図面の簡単な説明】
【００１３】
本発明の実施形態は、添付の図面を参照して、単に例として説明される。
【図１】図１は、試薬のビード（bead）が形成される前の電気泳動プレート又は基材に近接したピペット又はプローブの図である。
【図２】図２は、試薬のビードをアプライするためのピペット又はプローブの使用の説明図である。
【図３】図３は、プレート上への試薬の配置の開始を示す電気泳動プレートの一部の概略図である。
【図４】図４は、プレート上への試薬の配置を示す電気泳動プレートの概略図である。
【図５】図５は、ピペット又はプローブの変形例である。
【発明を実施するための形態】
【００１４】
図面を参照すると、電気泳動プレート１０は、図１、図２及び図３に概略的に示されており、Ｍｙｌａｒ（Ｒ）（Ｄｕｐｏｎ社のポリエチレンテレフタラートの登録商標）といったプラスチックフィルム又はシート１２などの裏材又は基材を含む。このシートはアメリカ合衆国テキサス州バーモントのHelena Laboratories Corporationによって製造販売されているＳＰＩＦＦＥ  ＴＯＵＣＨのような、電位泳動装置のピンと位置合わせするための一連の開口部１４を含む。非限定的な例として、プレート１０はゲルの両端に、拡大されたエンドキャップ１８、２０を有するアガロースゲルのような電気泳動ゲル１６を含んでもよい。拡大されたエンドキャップもまた、アガロース材料から形成され、電気泳動工程において、十分な流動性を維持するために提供される。
【００１５】
単に説明の目的のために、非限定的な意味で、図面は９人の患者の試料を同時に試験するためにシステムがどのように使用され得るかを示す。さらに、説明の目的のために、そして非限定的な意味で、免疫固定反応の「結果」はあたかも試験が完了したかのように例示される。従って、２２ａ、２２ｂ・・・２２ｉとして示される９人の患者のためのテスト領域２２は図４の３×３の配列で示されている。試験領域２２ａ、２２ｂ及び２２ｃは、第１の列（ゲルエンドキャップ１８からゲルエンドキャップ２０の方向に見て）に配置され、第１の列の右側の第２の列は試験領域２２ｄ、２２ｅ及び２２ｆを有し、第３の列は第２の列の右側に位置する。ここで再度、試験領域の数及び位置及び配置は、単に非限定的な例示及び説明の目的のためのものであることをことわっておく。
【００１６】
さらに、各患者試験領域について、ＳＰｘ、Ｇ、Ａ、Ｍ、Ｋ、及びλとして特定される６つのチャネル又はレーンがあり、それぞれ、総血清タンパク質、ＩｇＧ、ＩｇＭ、ＩｇＡ、κ及びλを測定するためのチャネルを意味する。ＳＰに続く下付き文字の“ｘ”（図３に見られるようなもの）は、この非限定的な例示において、９人の患者のための試験領域が存在するため、１から９の範囲となっている。下付き文字は、様々な患者を識別し、区別するのを助けるために使用される。
【００１７】
患者試料を電気泳動プレート上に、好ましくはそれぞれの患者のための６つのチャネルの端部の中間に、載置するための手段が提供される。したがって、理解され得るように、各患者について６つの試料又はアリコートが電気泳動プレート上に載置され、９人の患者の試料を同時に評価する場合には、５４のアリコートが載置される。
【００１８】
非限定的な例として、患者試料は、最初に試験管に収集されてもよい。次いで、試料は、例えば、実験室において試験管から取り出され、そして電気泳動システムに関連する容器又は試料カップに入れられる。その後、本明細書の一部として援用する、２００３年４月８日に登録され、アメリカ合衆国テキサス州バーモントのHelena Laboratories Corporationに譲渡された米国特許第６，５４４，３９５号に示されている種類のアプリケーターを使用して、試料を試料容器から電気泳動プレート上に移す。
【００１９】
代わりに、ピペット又はプローブを使用して、患者試料を容器から取り出し、患者試料を電気泳動プレート上に置いてもよい。さらなる代わりとして、ピペット又はプローブを使用して、試験管から患者試料を取り出し、試料を電気泳動プレート上に直接アプライしてもよい。ピペット又はプローブの使用における他のバリエーションは、当業者に明らかである。
【００２０】
図を参照すると、ピペット又はプローブ２６が図示されている。ピペット又はプローブは、従来より、試験管などから患者試料を抜き取るために使用されている。ＩＦＥ試験が行われる場合、プローブは、第１の患者からの６つの試料を、第１の試験領域２２ａ上の適切な６つのチャネル又はレーンにアプライする。プローブは洗浄され、次に異なる試験管から試料を取り出し、第２の患者のための６つの試料を試験領域２２ｂにアプライする。このプロセスは、電気泳動プレート上の試験領域２２の数に基づいて繰り返される。代わりに、例えば各患者に１つのピペット又はプローブを使用する、といったように、複数のピペット又はプローブが同時に使用され得る。
【００２１】
電気泳動工程が完了した後、ピペット又はプローブは次いで、プレート上に抗血清又は試薬をアプライするのに使用される。試薬はビード２８として形成され、好ましくは、一方のゲルエンドキャップ１８に隣接する、電気泳動プレートの一方の端部３０で始まり、他方のゲルエンドキャップ２０に隣接する電気泳動プレートの反対側の端部３２で終わる、プレート１０の長さに沿ってアプライされる。
【００２２】
前の段落に基づく非限定的な例示として、ビード２８はプローブ２６を矢印３４の方向に、一方の端部３０から他方の端部３２までの移動によってアプライされ、ビード２８は細長く引き伸ばされたストリップとして現れる。
【００２３】
図４では、ビード２８が３つの試験領域２２ａ、２２ｂ、２２ｃに対してＳＰチャネル上にアプライされるように示されている。次に、プローブを垂直に持ち上げるなどして、プローブをプレート１０との接触から外す。次に、プローブは矢印３４の方向に垂直な方向、すなわち、ビード２８のアプライ方向に垂直な方向に移動される。次に、プローブを垂直に下げることなどしてプローブをプレートと接触させるように移動させ、プレートの端部３０と３２との間でプローブを移動させることなどによって、次の３つの試験領域２２ｄ、２２ｅ、及び２２ｆのＳＰ領域上に第２のビードをアプライする。当業者は第２のビードのアプライのために、プローブは、端部３０まで移動させ、次に、第２のビードをアプライするために下降させてプレートと接触させることができるが、端部３２から端部３０のようにプローブの移動の方向を逆にすることが有利であり得ることを理解する。
【００２４】
次に、３列の患者試験領域、すなわち、３×３の配列の患者試験試料がある図４に示す非限定的な例について、上述した手順を繰り返す。図４に示す実施形態では９つの患者試験領域があり、プローブ又はピペットはＳＰ領域にビード（試薬）をアプライするだけのためにプレートを３回横切る。
【００２５】
次に、プローブを洗浄し、清潔にする。試験領域の次のチャネル又はレーン又は領域のための試薬は、別個のビードとしてアプライされる。図示の非限定的な例では次のチャネル又は領域がＩｇＧに対する抗血清を受容し、これはプレートの端部３０と３２との間のプローブの移動によって、試験領域２２ａ、２２ｂ、及び２２ｃにアプライされる。これは、次の列であるテスト領域２２ｄ、２２ｅ、２２ｆに対しても、さらに第３の列であるテスト領域２２ｇ、２２ｈ、２２ｉに対しても繰り返される。再度、３つのビードがアプライされる。次いで、プローブを洗浄し、清潔にし、さらに別の、ＩｇＭの抗血清であることがあるビードをアプライし、これも試験領域の各列につき１つずつ３回繰り返す。
【００２６】
次いで、ＩｇＡ、κ及びλの抗血清の試験領域についても上記の手順が繰り返される。ＩＦＥ試験の図示されている非限定的な例において、６つのビードすなわち載置された試薬が各試験領域２２に必要とされ、各チャネルに１つの試薬が必要とされ、６つの試薬は抗原抗体反応によって検出されるように、患者試料中の抗体と反応するように相互作用する。患者あたりに６つのチャネルがあり、したがって、各患者には６つのビードが必要とされ、各チャネルには１つのビードが必要とされる。さらに、患者試験領域の配列は３×３として示されているので、各試験領域は６つのチャネルを含む。したがって、矢印３４に直角方向の非限定的な例においては、１８個のチャネル、すなわち、患者試験領域の第１の列のための６つのチャネル、患者試験領域の第２の列のための６つのチャネル、及び試験領域の第３の列のための６つのチャネルがある。
【００２７】
したがって、図示され記載されているが非限定的な例では、１８個のビード、すなわち、ＳＰの抗血清の３つのビード、ＩｇＧに対する抗血清の３つのビード、ＩｇＭに対する抗血清の３つのビードを載置することができる。各ビードは、プレートの端部３０と端部３２との間に延在する。
【００２８】
また、複数のプローブを同時に使用することも考えられる。非限定的な例として、３つのプローブが使用される場合、すべての３つのプローブは、試験領域２２ａ、２２ｂ及び２２ｃのために１つ、試験領域２２ｄ、２２ｅ及び２２ｆのために第２のプローブ、そして試験領域２２ｇ、２２ｈ及び２２ｉのために第３のプローブ、というように同時にＳＰチャネルのための抗血清すなわち試薬を載置することがある。別の非限定的な例として、６つのプローブが使用される場合、プローブは異なるチャネルのための試薬、すなわち、ＳＰチャネルのための試薬を有する１つのプローブ、ＩｇＧチャネルのための試薬を有する第２のプローブ、ＩｇＭチャネルのための試薬を有する第３のプローブ、などを有することがある。次いで、６つのプローブが端部３０と３２との間を移動しながら、プレート２２ａ、２２ｂ及び２２ｃの６つのチャネル上に試薬を同時に載置する場合があり、これは、試験領域２２ｄ、２２ｅ、２２ｆの第２の列について、次いで試験領域２２ｇ、２２ｈ、２２ｉの第３の列について繰り返される。
【００２９】
患者試験領域の他のサイズ及び配列は、当業者の技術の範囲内である。電気泳動プレートは、患者についてリストされた６つ（ＳＰ、ＩｇＧ、ＩｇＭ、ＩｇＡ、κ及びλ）より多いか又は少ないチャネル又はレーンを含み得る。電気泳動プレートは、単一の患者試験領域２２を含むことがある。電気泳動プレートは、例えば２２ａ、２２ｂなどの１つ以上の試験領域を有する単一の列のみを含むことがあり、そして３つの試験領域に限定されない。電気泳動プレートは例えば、２２ａ、２２ｄなどの１つ以上の試験領域を有する単一の列のみを含むことがあり、そして３つの試験領域に限定されない。電気泳動プレート全体は患者試験領域の列を含むことがあり、３×３の配列に限定されない。
【００３０】
標準的なＩＦＥ手順においては、抗血清をアプライし、染色が実行された後に、反応は可視化される。しかしながら、試験領域上への抗血清のビードのアプライの相対的位置を示すために、図３はまた、種々の患者試験領域上の種々の列における典型的な可視反応を示すが、実際には、反応は、抗血清が載置される後までは起こらないことを理解されたい。
【００３１】
ビードとして載置される試薬、すなわち抗血清の量又は体積は制御される。好ましくは、しかし非限定的な意味においては、体積は３つの技術のうちの少なくとも１つによって制御される。第１に、抗血清のアプライ方向におけるプローブの移動速度を調節及び制御することができる。例示的な実施形態では、アプライ方向はゲル３０の一端からゲル３２の他端への矢印３４の方向である。第２に、試薬を供給するために使用されるポンプからピペット又はプローブに供給される試薬すなわち抗血清の流速を、調節及び制御することが出来る。第３に、ピペット又はプローブの開口部の断面積を必要に応じて、異なるサイズの開口部を有するプローブを使用することなどによって制御することができる。
【００３２】
この最後の点に関して、プローブは、患者試料を覆う保護キャップに穴を開けるための鋭い先端すなわち端部を含むことが出来ることが分かるであろう。プローブはキャップに穴を開けた後、試料内に延び、その後のゲル上へ載置するために試料を引き出す。典型的には保護キャップに穴を開け、患者試料をアプライするプローブは、所望の量の抗血清をアプライするには断面積開口部が小さすぎる。従って、抗血清のビードのアプライの前に、スリーブ３８をプローブの末端に固定してもよい。スリーブは、プローブに対して圧入されてもよく、保護キャップに穴を開けるため、及び／又は患者試料をアプライするために使用されるプローブの断面積よりも大きな径で、したがって大きい断面の開放下端を有することがある。従って、スリーブの内径は、プローブの外径よりも大きくてもよい。スリーブは、ゲルプレート上にアプライされるビードの直径を制限又は制御するのを助ける。スリーブの使用は載置する抗血清の量を制御するのを助けるために、必要に応じて選択できる。
【００３３】
スリーブが利用されるかどうかに関わらず、載置した抗血清はプローブ／スリーブの移動の方向に対して横方向に広がることがあり、すなわち、抗血清は、矢印３４の方向に対して横方向に広がることがある。一実施形態においては、アプライされる抗血清ビードは、矢印３４の方向に対して垂直に約０．４３２ｃｍの幅を有する。ゲルプレート上にアプライされる抗血清ビードの高さは、一般にその幅未満である。
【００３４】
記載されるシステム、方法及び装置は、適切な抗体が試料中に存在する場合、隣接するチャネルの抗血清の間の分離を維持するためのテンプレートのような外部の物理的障壁の必要なしに、反応を提供するために十分に多量な種々の抗血清が、ゲルプレート上の間隔を空けられたレーン又はチャネル又は領域に載置することを可能にする。このシステム、方法及び装置は同じ感度を提供しながら、テンプレートで以前に使われていたよりも少ない抗血清を使用する。抗血清及び試薬の粘度はテンプレートで以前に使用されていたものと同じであってもよく、以前のシステムと比較した場合、より少ない抗血清が使われるので、少なくともある程度の表面張力が、隣接するチャネルへの望ましくない移動がないように適切な位置に抗血清ビードを維持するか、又は維持するのを助ける。
【００３５】
適切なシリンジポンプは米国カリフォルニア州サンノゼのTecan Systemsから一般に公開されている、Operating Manual 30038165,Revision B,2012年3月に記載されているＣａｖｒｏ  Ｃｅｎｔｒｉｓポンプであり、その全体を本明細書に援用する。Ｘ、Ｙ及びＺ方向におけるプローブの移動は、それ自体、アメリカ合衆国テキサス州バーモントのHelena Laboratories Corporationの様々な製品に使用されているような伝統的なものである。
【００３６】
本発明の趣旨及び範囲から逸脱することなく、多くの変更及び修正を行うことができる。本発明は、以下の特許請求の範囲によってのみ限定されるべきである。
【図１】
2020528145.tif 000003
【図２】
2020528145.tif 000004
【図３】
2020528145.tif 000005
【図４】
2020528145.tif 000006
【図５】
2020528145.tif 000007
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
患者試料中の少なくとも１つの抗体を検出するための方法であって、前記患者試料は基材上の第１の患者試料試験領域中に配置され、前記基材は少なくとも第１及び第２の隣接する患者試験領域を有し、前記方法は、前記第１の患者試料試験領域中に前記抗体が存在する場合、前記第１の患者試料試験領域に接触させて、前記少なくとも１つの抗体と反応するために、少なくとも１つの抗血清を少なくとも前記第１の患者試料試験領域中の前記少なくとも１つの抗体に載置することを含み、
前記第１の患者試料領域は、前記患者試料の移動を制限するような非液体の物理的境界を含まず、前記少なくとも１つの抗血清を、前記基材の前記第１の患者試料試験領域上の延長したビードとして第１の方向に載置し、前記抗血清ビードは、表面張力によって前記基材上に保持されて、前記第１の方向を横切る方向への前記抗血清の移動を回避することを特徴とする、方法。
【請求項２】
前記抗血清ビードが、前記第２の隣接する患者試験領域への前記抗血清の移動を回避するために、表面張力によって前記基材上に保持される、請求項１に記載の方法。
【請求項３】
前記第２の患者試料試験領域は、前記患者試料の移動を制限するような非液体の物理的境界を含まず、延長されたビードとして前記少なくとも１つの抗血清を前記基材上の前記第２の患者試料試験領域に載置し、前記抗血清のビードは、前記第１の患者試料試験領域への前記抗血清の移動を回避するように、表面張力によって前記基材に保持されることを特徴とする、請求項１に記載の方法。
【請求項４】
前記少なくとも１つの抗血清が、前記第１の方向とは反対の第２の方向の、前記第２の患者試料試験領域上に延長したビードとして載置される、請求項３に記載の方法。
【請求項５】
前記少なくとも１つの抗血清が、前記第１の患者試料試験領域上の第１の延長したビード及び前記第２の患者試料試験領域上の第２の延長したビード、の２つの延長したビードとして載置される、請求項３に記載の方法。
【請求項６】
第２の患者試料試験領域上に延長したビードとして載置した前記抗血清が、前記第１の患者試料試験領域上に延長したビードとして載置した前記抗血清とは異なる、請求項３に記載の方法。
【請求項７】
複数の延長したビードが、順次載置される、請求項３に記載の方法。
【請求項８】
前記少なくとも１つの患者試料が、前記少なくとも１つの抗血清を第１の方向に延長したビードとして載置させる前に、前記第１の患者試料試験領域上に載置され、
前記少なくとも一つの抗血清を第１の方向に延長したビードとして載置させる前に、前記少なくとも１つの患者試料を電気泳動させる、請求項１に記載の方法。
【請求項９】
前記延長したビードが、前記第１の方向に対して直角方向に測定された前記第１の患者試験試料の幅よりも大きい幅を有する、請求項１に記載の方法。
【請求項１０】
延長したビードとして載置される抗血清の体積が、（a）抗血清を載置する移動速度、（b）前記抗血清の流速及び（c）延長したビードとして載置される抗血清の断面積、のうちの少なくとも１つによって制御される、請求項１に記載の方法。
【請求項１１】
前記第１の延長した方向に対して直角方向に測定された前記延長したビードの幅が、約０．４３２cmである、請求項１に記載の方法。
【請求項１２】
前記第１の延長した方向に対して直角方向に測定された前記延長したビードの幅が、前記基材から測定された前記抗血清の高さよりも大きい、請求項１に記載の方法。
【請求項１３】
抗血清を基材上に延長したビードとして載置するための、請求項１に記載の方法による装置。
【請求項１４】
請求項１３に記載の装置であって、開口端を有するプローブ（２６）をさらに含み、
前記開口端は、前記開口端を通して少なくとも１つの患者試験試料を得るためのものであり、
前記開口部を通して少なくとも１つの患者試験試料を載置するためのものであり、
前記開口端を通して前記抗血清を得るためのものであり、
前記開口部を通して前記延長したビードとして、前記抗血清を載置するためのものである、
請求項１３に記載の装置。
【請求項１５】
請求項１３に記載の装置であって、プローブ（２６）をさらに含み、
前記プローブは、少なくとも１つの患者試料を得るための開口端と、プローブ上にスリーブ（３８）を有し、
前記スリーブは、前記プローブの前記開口端の断面積よりも大きな断面積を有する開口端を有し、
前記プローブと前記スリーブは、それにより延長したビードとして前記抗血清を載置するものであり、
前記スリーブの前記開口端の断面積は、前記延長したビードの幅を制御するものである、
請求項１３に記載の装置。
【国際調査報告】
2020528145.tif 000008
2020528145.tif 000009
2020528145.tif 000010